(57)【要約】【課題】本発明は、安定な係合を具備する雌コネクタ及びその組立体を提供することを目的とする。【解決手段】本発明の雌コネクタは、第１絶縁性本体と、前記第１絶縁性本体に固着される第１端子と、インサートモールドによって前記第１絶縁性本体に固着される第１固定部材と、を備える。前記第１絶縁性本体は、第１底壁と、前記第１底壁から延在し、互いに平行に延在する二つの第１側壁と、前記二つの第１側壁の端部を連接する二つの第１端壁と、前記第１底壁と第１側壁と第１端壁とによって形成される第１収納スペースと、を含む第１絶縁性本体と、を備える。前記第１固定部材は、平板状の基部と、前記基部の両側に折り曲げられる二つの固定部と、を有し、各固定部が、保持ビームと、前記保持ビームの上側から外側へ折り曲げられる上ビームと、前記保持ビームの下側から外側へ折り曲げられる下ビームと、前記上ビーム及び下ビームを連接する連接ビームとを有する。【選択図】図６
2017168428.tif 000002
【特許請求の範囲】
【請求項１】
第１底壁と、前記第１底壁から延在し、互いに平行に延在する二つの第１側壁と、前記二つの第１側壁の端部を連接する二つの第１端壁と、前記第１底壁と前記第１側壁と前記第１端壁とによって形成される第１収納スペースと、を含む第１絶縁性本体と、
前記第１絶縁性本体に固着される複数の第１端子と、
インサートモールドによって前記第１絶縁性本体に固着される第１固定部材と、
を備え、
前記第１固定部材は、平板状の基部と、前記基部の両側で折り曲げられる二つの固定部と、を有し、各固定部が、保持ビームと、前記固定部の上側から外側へ折り曲げられる上ビームと、前記固定部の下側から外側へ折り曲げられる下ビームと、前記上ビーム及び前記下ビームを連接する連接ビームと、を有することを特徴とする雌コネクタ。
【請求項２】
前記第１固定部材は、前記基部の上側から前記基部の内側に設けられる内制限部と、前記基部の下側から外側へ延在する外制限部と、を有する特徴とする請求項１に記載の雌コネクタ。
【請求項３】
前記内制限部の内表面には、相手コネクタと対応するカットアウトが形成されることを特徴とする請求項２に記載の雌コネクタ。
【請求項４】
前記上ビームと、前記下ビームと、前記連接ビームとは、外側に向かって開口するＵ字状に形成されることを特徴とする請求項１に記載の雌コネクタ。
【請求項５】
前記第１絶縁性本体の両端には、第１固定部材を収納する収納孔が形成され、前記基部及び前記固定部が前記収納孔に収納され、前記固定部の内側面が前記第１収納スペースに露出されることを特徴とする請求項１に記載の雌コネクタ。
【請求項６】
前記保持ビームのエッジには、凸状面が設けられ、前記連接ビームには、相手コネクタと対応するカットアウトが形成されることを特徴とする請求項１に記載の雌コネクタ。
【請求項７】
請求項１に記載される雌コネクタと、
前記雌コネクタと接続する雄コネクタと、
を備え、前記雄コネクタが、第２絶縁性本体と、前記第２絶縁性本体に固定される複数の第２端子と、前記第１固定部材と係合する第２固定部材と、を有することを特徴とするコネクタ組立体。
【請求項８】
前記第２固定部材が前記第２絶縁性本体に取り付けられ、前記第２固定部材は、平板状の主体部と、前記主体部の前端から下向きに延在する前壁と、前記主体部の両側から下向きに延在する第２側壁と、を備えることを特徴とする請求項７に記載のコネクタ組立体。
【請求項９】
前記第１固定部材は、前記基部の上側から前記基部の内側に設けられる内制限部と、前記基部の下側から外側へ延在する外制限部と、を有し、前記内制限部及び前記前壁には、互いに係合する係合機構が設けられることを特徴とする請求項８に記載のコネクタ組立体。
【請求項１０】
前記保持ビームのエッジには、凸状面が設けられ、前記連接ビーム及び前記第２側壁には、それぞれ互いに係合する係合機構が設けられることを特徴とする請求項８に記載のコネクタ組立体。
【発明の詳細な説明】
【技術分野】
【０００１】
本発明は、雌コネクタ及びその組立体に関し、特に、高速ビッドで最適な信号伝送を実現することができる雌コネクタ及びその組立体に関するものである。
【背景技術】
【０００２】
従来のソケットコネクタは、側壁を含む本体と、ガイド部材と、シェルと、を有する。前記ガイド部材は、金属板から折り曲げられる。前記ガイド部材の板面とシェルの対応の壁面とは、面一になる。前記ガイド部材は、取付部と、前記取付部を連接する連接部と、を有する。前記取付部が、逆Ｕ字状に形成され、前記側壁に取り付けられる。
【０００３】
ガイド部材が前記側壁に取り付けられる。しかしながら、前記ソケットコネクタが相手コネクトから外れる時、ガイド部材が本体から外れ易い。
【先行技術文献】
【特許文献】
【０００４】
【特許文献１】中国特許公開第１０４２４１９５１Ａ号公報
【発明の概要】
【発明が解決しようとする課題】
【０００５】
そこで、本発明の目的は、安定な係合を具備する雌コネクタ及びその組立体を提供することにある。
【課題を解決するための手段】
【０００６】
前記目的を達成するために、本発明の雌コネクタは、第１絶縁性本体と、前記第１絶縁性本体に固着される第１端子と、インサートモールドによって前記第１絶縁性本体に固着される第１固定部材と、を備える。前記第１絶縁性本体は、第１底壁と、前記第１底壁から延在し、互いに平行に延在する二つの第１側壁と、前記二つの第１側壁の端部を連接する二つの第１端壁と、前記第１底壁と第１側壁と第１端壁とによって形成される第１収納スペースと、を含む第１絶縁性本体と、を備える。前記第１固定部材は、平板状の基部と、前記基部の両側で折り曲げられる二つの固定部と、を有し、各固定部が、保持ビームと、前記保持ビームの上側から外側へ折り曲げられる上ビームと、前記保持ビームの下側から外側へ折り曲げられる下ビームと、前記上ビーム及び下ビームを連接する連接ビームとを有する。
【発明の効果】
【０００７】
従来の技術と比べると、本発明は以下の長所を有する。前記第１固定部材がインサートモールドによって第１絶縁性本体に固定される。前記固定部によって、前記絶縁性本体が第１固定部材にしっかりと固定される。これにより、雌コネクタが雄コネクタにしっかりと固定される。
【図面の簡単な説明】
【０００８】
【図１】本発明のコネクタ組立体の組立斜視図である。
【図２】図１を別の角度から見た斜視図である。
【図３】図１に示すコネクタ組立体の部分の分解斜視図である。
【図４】図３を別の角度から見た斜視図である。
【図５】図１に示す雌コネクタの部分の分解斜視図である。
【図６】図５を別の角度から見た斜視図である。
【図７】雄コネクタの分解斜視図である。
【図８】図７を別の角度から見た斜視図である。
【図９】第２実施形態のコネクタ組立体の組立斜視図である
【図１０】図９を別の角度から見た斜視図である。
【図１１】第２実施形態の雌コネクタ及び雄コネクタの斜視図である。
【図１２】図１１を別の角度から見た斜視図である。
【図１３】雄コネクタの分解斜視図である。
【図１４】図１３を別の角度から見た斜視図である。
【図１５】第２実施形態の雄コネクタの分解斜視図である。
【図１６】図１５を別の角度から見た斜視図である。
【発明を実施するための形態】
【０００９】
図１〜図１６に示すように、本発明のコネクタ組立体１００は、互いに接続する雌コネクタ１、１’と、雄コネクタ２、２’と、を有する。
【００１０】
図１〜図８に示すように、第１実施形態において、前記雌コネクタ１は、第１絶縁性本体１１と、前記第１絶縁性本体１１に固着される第１端子１２と、インサートモールドによって前記第１絶縁性本体１１に固着される一対の第１固定部材１３と、を備える。
【００１１】
前記第１絶縁性本体１１は、第１底壁１１３と、前記第１底壁１１３から延在し、互いに平行に延在する二つの第１側壁１１１と、前記二つの第１側壁１１１の端部を連接する二つの第１端壁１１２と、前記第１底壁１１３と第１側壁１１１と第１端壁１１２とによって形成される第１収納スペース１１０と、を含む。前記第１収納スペース１１０には、前記第１底壁１１３から延在するプレートフォーム１１４が設けられる。前記プレートフォーム１１４には、前記第１端子１２を収納するための複数の端子溝が形成される。前記第１絶縁性本体１１の両端には、第１固定部材１３を収納する収納孔１１１０が形成される。
【００１２】
前記第１固定部材１３は、垂直方向の平板状の基部１３１と、前記基部１３１の両側で折り曲げられる二つの固定部１３２と、前記基部１３１の上側から基部１３１の内側に設けられる内制限部１３４と、前記基部１３１の下側から外側へ延在する外制限部１３５と、を有する。各前記固定部１３２は、保持ビーム１３２１と、前記保持ビーム１３２１から折り曲げられ、前記第１絶縁性本体１１の第１側壁１１１に固定される折曲構造と、を有する。前記折曲構造は、前記保持ビーム１３２１の上側から外側へ折り曲げられる上ビーム１３２２と、前記保持ビーム１３２１の下側から外側へ折り曲げられる下ビーム１３２３と、前記上ビーム１３２２及び下ビーム１３２３を連接する連接ビーム１３２４と、を有する。前記上ビーム１３２２と、下ビーム１３２３と、連接ビーム１３２４とは、外側に向かって開口するＵ字状に形成される。前記第１固定部材１３の前記内制限部１３４には、相手コネクタと対応するカットアウト１３４２が形成される。前記基部１３１及び固定部１３２は、前記収納孔１１１０に収納される。前記内制限部１３４及び固定部１３２の内側面は、前記第１収納スペース１１０に露出される。
【００１３】
前記雄コネクタ２は、第２絶縁性本体２１と、前記第２絶縁性本体２１に固定される複数の第２端子２２と、前記第１固定部材１３と係合する一対の第２固定部材２３と、を有する。
【００１４】
各第２絶縁性本体２１は、第２底壁２１３と、前記第２底壁２１３から延在し、互いに平行に延在する二つの第２側壁２１１と、前記二つの第２側壁２１１の端部を連接する二つの第２端壁２１２と、前記第２底壁２１３と第２側壁２１１と第２端壁２１２とによって形成される収納溝２１０と、を含む。前記端壁２１２には、外窪溝２１２０と、内窪溝２１２１と、が形成される。前記外窪溝２１２０には、凸状部片２１２６が設けられる。第２端子２２が第２側壁２１１に固定される。
【００１５】
前記一対の第２固定部材２３は第２絶縁性本体２１の一対の端部に取り付けられる。各第２固定部材２３は、平板状の主体部２３１と、前記主体部２３１の前端から下向きに延在する前壁２３４と、主体部２３１の両側から下向きに延在する保持壁２３３と、を備える。前記主体部２３１の後端には、内窪溝２１２１と係合する係止部２３５が設けられる。前記前壁２３４の外側面には、外側へ突出し、前記カットアウト１３４２と係合する係合部２３６が設けられる。前記カットアウト１３４２と係合部２３６とは、係合機構を形成する。前記係合部２３６の内側面には、前記凸状部片２１２６と係合する凹溝２３４６が形成される。保持壁２３３にはスロット２３２が形成される。前壁２３４の自由端が外側へ突出し、複数の延在部２３４２が設けられる。前記前壁２３４が外窪溝２１２０に収納される。外窪溝２１２０には、前記延在部２３４２と係合する複数の第１嵌合溝２１２５が形成される。
【００１６】
前記コネクタ組立体が組み立てる時、二つの第１固定部材１３が、インサートモールドによって、第１絶縁性本体１１の両端に固定される。前記基部１３１と、内制限部１３４と、外制限部１３５とは、それぞれ第１端壁１１２に固定される。内制限部１３４及び外制限部１３５の端部は、第１端壁１１２から露出される。固定部１３２が第１側壁１１１に固定され、第１収納スペース１１０に露出される。第１端子１２が第１絶縁性本体１１に固定され、前記第１収納スペース１１０に向かって突出し、雄コネクタ２００の端子と接続する。二つの第２固定部材２３は、第２絶縁性本体２１の端部に取り付けられる。前記壁２３４は、外窪溝２１２０に収納される。凸状部片２３６がカットアウト１３４２と係合する。
【００１７】
前記第１固定部材１３はインサートモールドによって第１絶縁性本体１１と一体に成型される。内制限部１３４が第１絶縁性本体１１に安定に固定される。内制限部１３４が基部１３１から内側へ折り曲げられ、第１収納スペース１１０に収納される。内制限部１３４の自由端が基部１３１から離れる。雌コネクタ１が雄コネクタ２と接続する時、内制限部１３４が弾性変形でき、第１固定部材１３が第２固定部材２３に容易に係合する。固定部１３２が第１絶縁性本体１１に収納され、上ビーム１３２２及び下ビーム１３２３の自由端は、収納溝１１１０に固定される。雌コネクタ１が雄コネクタ２と接続する時、コネクタ組立体１００は、大きい力を受ける。前記コネクタ組立体１００は、破損し難く、保護される。
【００１８】
図９〜図１６に示すように、第２実施形態において、前記雌コネクタ１’は、第１絶縁性本体１１’と、前記第１絶縁性本体１１’に固着される第１端子１２’と、インサートモールドによって前記第１絶縁性本体１１’に固着される一対の第１固定部材１３’と、を備える。
【００１９】
第２実施形態の第１固定部材１３’は、垂直方向の平板状の基部１３１’と、前記基部１３１’の両側に折り曲げられる二つの固定部１３２’と、前記基部１３１’の上側から基部１３１’の内側に設けられる内制限部１３４’と、前記基部１３１’の下側から外側へ延在する外制限部１３５’と、を有する。各前記固定部１３２’は、保持ビーム１３２１’と、前記保持ビーム１３２１’の上側から外側へ折り曲げられる上ビーム１３２２’と、前記保持ビーム１３２１’の下側から外側へ折り曲げられる下ビーム１３２３’と、前記上ビーム１３２２’及び下ビーム１３２３’を連接する連接ビーム１３２４’と、を有する。前記上ビーム１３２２’と、下ビーム１３２３’と、連接ビーム１３２４’とは、外側に向かって開口するＵ字状に形成される。前記第１固定部材１３’の連接ビーム１３２４’には、雄コネクタ２００と対応するカットアウト１３２５’が形成される。前記基部１３１’の外制限部１３５’に隣接する部分には、係合溝１３８’が形成される。第１絶縁性本体１１’の両端には、前記係合溝１３８’と係合する突出部１１８’が設けられる。保持ビーム１３２１’のエッジには、凸状面１３２８’が設けられる。前記基部１３１’及び固定部１３２’は、前記収納溝１１１０’に収納される。前記内制限部１３４’及び固定部１３２’の内側面は、前記第１収納スペース１１０’に露出され、第２固定部材２３’と接続する。
【００２０】
前記第１固定部材１３’の保持ビーム１３２１’には、凸状面１３２８’が設けられる。第１固定部材１３’には、係合溝１３８’が形成される。第１絶縁性本体１１’の両端には、前記係合溝１３８’と係合する突出部１１８’が設けられる。第１固定部材１３’が第１絶縁性本体１１’にしっかりと固着される。
【００２１】
前記雄コネクタ２’は、第２絶縁性本体２１’と、前記第２絶縁性本体２１’に固定される複数の第２端子２２’と、前記第１固定部材１３’と係合する一対の第２固定部材２３’と、を有する。
【００２２】
前記第２固定部材２３’は、平板状の主体部２３１’と、前記主体部２３１’の前端から下向きに延在する前壁２３４’と、主体部２３１’の両側から下向きに延在する保持壁２３３’と、を備える。前記主体部２３１’の後端には、内窪溝２１２１’と係合する係止部２３５’が設けられる。前記保持壁２３３’の外側面には、外側へ突出し、前記カットアウト１３２５’と係合する係合部２３６’が設けられる。前記カットアウト１３２５’と係合部２３６’とは、係合機構を形成する。前記係合部２３６’の内側面には、前記凸状部片２１２６’と係合する凹溝２３４６’が形成される。前壁２３４’の自由端が外側へ突出し、複数の延在部２３４２’が設けられる。前記前壁２３４’が外窪溝２１２０’に収納される。外窪溝２１２０’には、前記延在部２３４２’と係合する複数の第１嵌合溝２１２５’が形成される。
【符号の説明】
【００２３】
１００、１００’  コネクタ組立体
１，１’  雌コネクタ
１１、１１’第１絶縁性本体
１１０、１１０’  収納スペース
１１１０、１１１０’  収納孔
１１１  第１側壁
１１２  第１端壁
１１３  第１底壁
１１４  プレートフォーム
１１８’  突出部
１２  第１端子
１３  第１固定部材
１３１、１３１’  基部
１３２、１３２’  固定部
１３２１、１３２１’  保持ビーム
１３２２  上ビーム
１３２３  下ビーム
１３２４  連接ビーム
１３２８’  凸状面
１３４、１３４’  内制限部
１３４２，１３２５’  カットアウト
１３５，１３５’  外制限部
１３８’  係合溝
２、２’雄コネクタ
２１，２１’  第２絶縁性本体
２１０  収納溝
２１１  第２側壁
２１２  第２端壁
２１２０，２１２０’  外窪溝
２１２１、２１２１’  内窪溝
２１２５，２１２５’  第１嵌合溝
２１２６、２１２６’  凸状部片
２１３  第２底壁
２２，２２’  第２端子
２３、２３’  第２固定部材
２３１，２３１’  主体部
２３２  スロット
２３３，２３３’  保持壁
２３４、２３４’  前壁
２３４２，２３４２’  延在部
２３４６、２３４６’  凹溝
２３５  係止部
２３６，２３６’  係合部
【図１】
2017168428.tif 000003
【図２】
2017168428.tif 000004
【図３】
2017168428.tif 000005
【図４】
2017168428.tif 000006
【図５】
2017168428.tif 000007
【図６】
2017168428.tif 000008
【図７】
2017168428.tif 000009
【図８】
2017168428.tif 000010
【図９】
2017168428.tif 000011
【図１０】
2017168428.tif 000012
【図１１】
2017168428.tif 000013
【図１２】
2017168428.tif 000014
【図１３】
2017168428.tif 000015
【図１４】
2017168428.tif 000016
【図１５】
2017168428.tif 000017
【図１６】
2017168428.tif 000018